(57)【要約】【課題】  手術などの医療処置において使用された医療用部材が、医療処置の終了後に被手術者の体内に残置されることを防止できる医療用部材の検出システムを提供する。【解決手段】  医療用部材の検出システムをスキャナ部３０と制御部４０とから構成し、制御部４０の入力キー５６に手術などの医療処置において使用する医療用部材１０の種類や数を予め入力しておく。手術後に使用された医療用部材１０をスキャナ３２で走査することにより、手術後における医療用部材の種類と数が表示基４に表示され、その結果医療用部材１０の現在位置を確認することができる。【選択図】  図３
2006122321.tif 000002
【特許請求の範囲】
【請求項１】
医療処置において使用される医療用部材の検出システムであって、
識別情報を記憶し送受信可能なＲＦＩＤタグを備えた医療用部材と、
前記医療用部材を検出する検出手段とから構成されたことを特徴とする医療用部材の検出システム。
【請求項２】
前記検出手段は、前記医療用部材を走査するためのスキャナ部と、前記スキャナ部からの出力信号を演算処理する制御部とからなることを特徴とする、請求項１に記載の医療用部材の検出システム。
【請求項３】
前記医療用部材は、ガーゼ、脱脂綿などの消耗品であることを特徴とする、請求項１又は２に記載の医療用部材の検出システム。
【請求項４】
前記医療用部材は、挟み、ピンセットなどの繰り返し用いられる医療器具であることを特徴とする、請求項１又は２に記載の医療用部材の検出システム。
【発明の詳細な説明】
【技術分野】
【０００１】
本発明は、医療用部材の検出システムに関するものである。
【背景技術】
【０００２】
従来より、手術などの医療処置において使用された医療用部材は、医療処置の終了後に被手術者の体内に残置されることがあってはならないため、種々の手段によって被手術者の体内における医療用部材の残置防止策が講じられてきた。
【０００３】
例えば、手術などにおいて、医療用部材としてガーゼを使用する場合には、ガーゼに銅線を予め織り込んでおき、手術前のガーゼの枚数を目視にて確認する。そして、手術後の使用済みのガーゼの枚数と未使用のガーゼの枚数とを目視にて確認し、それらの合計数が手術前のガーゼの枚数と一致しない場合は、ガーゼが被手術者の体内に残置されている可能性があると判断して、レントゲンで被手術者の体内の銅線の有無を確認するという手段が採られている。
【０００４】
なお、上記のような手段は周知であるが、本願発明に関連した先行技術文献はない。
【発明の開示】
【発明が解決しようとする課題】
【０００５】
しかし、上記の目視による確認手段では、血液などで汚染されたガーゼを正確に数えることは容易ではなく数え間違える畏れがある。又、ガーゼの枚数確認に時間がかかるため、被手術者の体力の消耗が懸念される場合がある。更に、ガーゼを間違いなく数えるという作業は、手術を行った医師や看護士の負担になるばかりでなく、医師や看護士の過度の疲労に繋がる畏れがある。
【０００６】
本願発明は、このような事情に鑑みなされたもので、その目的とするところは、手術などの医療処置において使用された医療用部材が、医療処置の終了後に被手術者の体内に残置されることを防止できる医療用部材の検出システムを提供することにある。
【課題を解決するための手段】
【０００７】
上記目的を達成するために、請求項１に記載の医療用部材の検出システムは、医療処置において使用される医療用部材の検出システムであって、識別情報を記憶し送受信可能なＲＦＩＤタグを備えた医療用部材と、前記医療用部材を検出する検出手段とから構成されたことを特徴としている。
【０００８】
このような構成によると、医療用部材に備えられたＲＦＩＤタグが外部から受信した信号に基いて医療用部材の種類、数などの識別情報を記憶し、記憶した識別情報を外部に送信することにより、医療処置において使用された医療用部材の種類や数とそれらの現在位置とを確認することができる。
【０００９】
又、請求項２に記載の発明は、請求項１に記載の発明において、前記検出手段は、前記医療用部材を走査するためのスキャナ部と、前記スキャナ部からの出力信号を演算処理する制御部とからなることを特徴としている。
【００１０】
このような構成によると、スキャナ部からの出力信号を演算処理して演算結果を表示することにより、医療処置において使用された医療用部材の種類や数とそれらの現在位置を検出することができる。
【００１１】
又、請求項３に記載の発明は、請求項１又は２に記載の発明において、前記医療用部材が、ガーゼ、脱脂綿などの消耗品であることを特徴としている。
このような構成によると、医療処置において使用されたガーゼ、脱脂綿などの消耗品の種類や数とそれらの現在位置を検出することができる。
【００１２】
又、請求項４に記載の発明は、請求項１又は２に記載の発明において、前記医療用部材が挟み、ピンセットなどの繰り返し使用される医療器具であることを特徴としている。
このような構成によると、医療処置において使用された挟み、ピンセットなどの医療器具の種類や数とそれらの現在位置を検出することができる。
【発明の効果】
【００１３】
請求項１に記載の発明によれば、手術などの医療処置において使用された医療用部材が被手術者の体内に残置されるという事故を防止することができる。又、医療用部材を目視にて数え、確認する必要がないため、医療処置の作業効率が向上する。更に、医療用部材を目視にて数え、確認する必要がないため、手術を行った医師や看護士の医療用部材を目視にて数え、確認するという負担を軽減させることができる。
【００１４】
請求項２に記載の発明によれば、手術などの医療処置において使用された医療用部材を目視で数え確認する必要がないため、医療用部材の確認を短時間で行うことができる。
請求項３に記載の発明によれば、手術などの医療処置において使用された使い捨ての消耗品であるガーゼや脱脂綿の行方が不明になったり、被手術者の体内に残置されることを防止することができる。
【００１５】
請求項４に記載の発明によれば、手術などの医療処置において使用された繰り返し用いられる医療器具である挟みやピンセットの行方が不明になったり、被手術者の体内に残置されることを防止することができる。
【発明を実施するための最良の形態】
【００１６】
［第１の実施形態］
以下に、本発明に係る医療用部材の検出システムの第１の実施形態について添付図面を参照して説明する。
【００１７】
図１は、ＲＦＩＤタグが取り付けられた医療用部材を示す図である。図２は、医療用部材を検出する検出手段を示す図である。図３は、医療用部材を検出する検出システムを示すブロック図である。図４は、医療用部材を検出する検出システムのフローチャートを示す図である。
【００１８】
医療用部材を検出する検出システムを説明する前に、最初に医療用部材を検出する検出システムにおいて医療用部材に用いられたＲＦＩＤタグについて説明する。図１（ａ）は、例えば、使い捨ての消耗品としての医療用部材であるガーゼ１０の繊維４に織り込まれたＲＦＩＤタグ２を示す図である。図１（ｂ）は、ＲＦＩＤタグ２が埋め込まれた繊維４からなる糸で紡織されたガーゼ１０を示す図である。
【００１９】
ＲＦＩＤタグ２は、周知のパッシブ型であり、電力搬送無線波によって電力供給を受けるとともに、信号通信無線波によって信号の送受信を行うためのアンテナ素子１２と、識別情報の記憶及び格納や信号の送受信を行うためのＩＣ素子１４とを備えている。
【００２０】
このような構成により、ＲＦＩＤタグ２は、外部からの信号を受信し記憶する記憶手段と、その記憶手段からの信号を外部に送信する送信手段とを有する。例えば、ＲＦＩＤタグ２にはガーゼ１０の種類や、枚数を数えるための通し番号などを記憶させることができる。
【００２１】
なお、ＲＦＩＤタグ２としては、表１に示すような種類のＲＦＩＤタグがあるが、ここでは、マイクロ波用のＲＦＩＤタグ２を使用する。マイクロ波を利用したＲＦＩＤタグ２は、通常の空間における使用では半径２ｍ以内でスキャナによる走査に反応するが、体内に入ると、人体の水分が電波を吸収するため、極端に到達距離が減少し、数十ｃｍとなる。しかし、スキャナによる走査への反応そのものは確実にあるため、スキャナで人体内のＲＦＩＤタグ２が取り付けられた医療用部材を走査し検出することができる。
【００２２】
【表１】
2006122321.tif 000003
【００２３】
次に、図２及び図３を参照して医療用部材を検出する検出システムの構成について説明する。図３に示す検出システムは、スキャナ部３０と制御部４０とから構成されている。
スキャナ部３０は、スキャナ３２とレントゲン３４とから構成されている。スキャナ３２は、ガーゼ１０などの医療用部材を走査するためのものであって、医療用部材に取り付けられたＲＦＩＤタグ２から発信される信号を受信する受信部３２ａを有している。スキャナ３２は、電送線３６によって制御部４０に接続されている。
【００２４】
スキャナ３２を使用する場合は、スキャナ３２を手で持ってその受信部３２ａをガーゼ１０に近づければよい。そうすると、ガーゼ１０に取り付けられているＲＦＩＤタグ２がスキャナ３２から発信される信号を受信し、ＲＦＩＤタグ２に予め記憶されていたガーゼ１０の種類や通し番号などの識別情報を送信する。
【００２５】
レントゲン３４は、スキャナ３２によって被手術者の体内に医療用部材があることが検出された場合に、その検出部位を更に正確に確認するためのものである。レントゲン３４は、周知の装置であるのでここでは詳細な説明を省略する。
【００２６】
次に、制御部４０は、スキャナ部３０からの入力信号を演算処理し、処理結果を表示する機能を有している。制御部４０は、マイコン４２、操作・表示パネル５２及び電源回路６２から構成されている。
【００２７】
マイコン４２は、ＣＰＵ４４、ＲＡＭ４６及びＲＯＭ４８を有する。ＣＰＵ４４は、スキャナ３２あるいはレントゲン３４からの入力や入力キー５６からの入力を受けて必要な演算を行い、演算結果を表示器５４に表示する。ＲＡＭ４６は、ガーゼ１０の種類や通し番号などを記憶するランダムアクセスメモリ装置である。
【００２８】
操作・表示パネル５２は、表示器５４と入力キー５６とを有する。表示器５４は、前述のようにスキャナ３２による走査結果及びＣＰＵ４４による演算結果を表示するパネルである。入力キー５６は、ガーゼ１０の種類や数などを入力し、それらの識別情報をＲＦＩＤタグ２及びＲＡＭ４６に記憶させるキーパネルである。
【００２９】
電源回路６２は、プラグ６４から供給された交流電源より一定電圧を出力し、マイコン４２、操作・表示パネル５２、スキャナ部３０などに電力を供給してそれらを作動させる。
【００３０】
次に、図４に示すフローチャートを参照して医療用部材の検出システムについて説明する。
本発明に係る医療用部材を検出する検出システムは、図４に示すステップ１１０（以下Ｓ１１０と称する）で、制御部４０に電源が入れられることにより開始される。そして、Ｓ１１２で、医療処置のために用意したガーゼ１０の種類、枚数などを入力キー５６に入力すると同時にスキャナ３２を用いて用意したガーゼ１０を走査し、それらの識別情報をガーゼ１０のＲＦＩＤタグ２及びＲＡＭ４６に記憶させる。
【００３１】
続いて、Ｓ１１４で、手術などの医療処置が実行される。ここで、Ｓ１１６で、手術中にガーゼ１０を追加したかどうかをチェックする。もし、ガーゼ１０を追加した場合は、Ｓ１１８で、予め用意したガーゼ１０の数と手術中に追加したガーゼの数とを合計した数を（１）とする。もし、ガーゼ１０を追加しなかった場合は、Ｓ１２０で、予め用意したガーゼ１０の数を（１）とする。
【００３２】
そして、手術終了後に、Ｓ１２２で、使用後のガーゼ１０をスキャナ３２で走査する。更に、Ｓ１２４で、未使用のガーゼ１０をスキャナ３２で走査する。そして、使用後のガーゼ１０の数と未使用のガーゼ１０の数とを合計した数を（２）とする。
【００３３】
次に、Ｓ１２８で、（１）の数と（２）の数とを比較する。もし、（１）の数と（２）の数とが一致した場合は、使用後のガーゼ１０と未使用のガーゼ１０とが全数確認され、被手術者の体内には残置されていないと判断してＳ１３０で、検出システムの作動を終了する。
【００３４】
もし、（１）の数と（２）の数とが一致しなかった場合は、被手術者の体内にガーゼ１０が残置されている畏れがあるため、Ｓ１３２で、スキャナ３２を用いて被手術者の手術部位を中心に走査する。そして、Ｓ１３４で、もし被手術者の体内にＲＦＩＤタグ２が見つからなかった場合は、被手術者の体内にガーゼ１０が残置されていないと判断して、Ｓ１３６で、検出システムの作動を終了する。
【００３５】
次に、Ｓ１３４で、もし被手術者の体内にＲＦＩＤタグ２が見つかった場合は、Ｓ１３８で、レントゲン３４を用いてガーゼ１０の更に正確な位置を確認する。続いて、Ｓ１４０で、被手術者の体内からガーゼ１０を取り出す。その後、Ｓ１２６に戻り、Ｓ１２８で（１）の数と（２）の数とを再度比較する。そして、（１）の数と（２）の数とが一致する場合には、使用後のガーゼ１０と未使用のガーゼ１０とが全数確認され、被手術者の体内には残置されていないと判断してＳ１３０で、検出システムの作動を終了する。
【００３６】
このような医療用部材の検出システムによると、手術などの医療処置において使用された医療用部材を確実に検出することができるので、医療処置の終了後に医療用部材が被手術者の体内に残置されることを防止することができる。又、血液などで汚染されたガーゼを数えるのに目視による手段を用いないので、数え間違える畏れがない上、確認作業を短時間で行うことができるので、被手術者の体力の消耗を軽減させることができる。更に、ガーゼを目視で間違いなく数えるという作業が不要であるので医療処置の作業効率を向上させることができるばかりでなく、手術を行った医師や看護士のガーゼを目視で数え確認するという負担を軽減させることができる。
［第２の実施形態］
以下に、本発明に係る医療用部材の検出システムの第２の実施形態について図５を参照して説明する。図５は、繰り返し使用される医療器具の例として挟み２０にＲＦＩＤタグ２が取り付けられたものである。
【００３７】
医療処置の前後において挟み２０をスキャナ３２で走査することにより、医療処置後の挟み２０の現在位置を確認することができる。例えば、図４におけるフローチヤートを繰り返し使用する医療器具について適用した場合、図４のＳ１１２におけるガーゼ１０を挟み２０と読み替えればよい。図４のＳ１２８において、使用前後の医療用器具の数が合わない場合に被手術者の手術部位をスキャナ３２で走査するが、それでも発見できない場合、手術を行った医師や看護士の衣服特にポケットなどをスキャナ３２で走査することにより、行方が不明の医療用器具を容易に検出することができる場合がある。
【００３８】
このようにすると、手術など医療処置の前後における医療用器具の確認が容易に行われるため、医療用器具が被手術者の体内に残置されることを防止することができる。それにより、手術などの医療処置における医療用部材の被手術者の体内への残置という事故を回避することができるばかりでなく、作業効率を向上させることができる。また、手術を行った医師や看護士の医療用器具を目視で数え確認するという負担を軽減させることができる。
【００３９】
以上の本発明の実施形態に関する説明は、ＲＦＩＤタグを備えた医療用部材の検出システムの一実施例に過ぎず、本発明の技術思想から逸脱しない範囲で如何なる態様を採ることも可能である。なお、請求項１に記載の検出手段は、スキャナ部３０と制御部４０とが相当する。
【図面の簡単な説明】
【００４０】
【図１】ＲＦＩＤタグが取り付けられたガーゼを示す図である。
【図２】医療用部材を検出する検出手段を示す図である。
【図３】医療用部材を検出する検出システムのブロック図である。
【図４】医療用部材を検出する検出システムのフローチャートを示す図である。
【図５】第２の実施形態を示す図である。
【符号の説明】
【００４１】
２・・・ＲＦＩＤタグ                  ４・・・繊維
１０・・・ガーゼ                      １２・・・アンテナ素子
１４・・・ＩＣ素子                    ２０・・・鋏み
３０・・・スキャナ部                  ３２・・・スキャナ
３２ａ・・・受信部                    ３４・・・レントゲン
３６・・・電送線                      ４０・・・制御部
４２・・・マイコン                    ４４・・・ＣＰＵ
４６・・・ＲＡＭ                      ４８・・・ＲＯＭ
５２・・・操作・表示パネル            ５４・・・表示器
５６・・・入力キー                    ６２・・・電源回路
６４・・・交流１００Ｖ電源
【図１】
2006122321.tif 000004
【図２】
2006122321.tif 000005
【図３】
2006122321.tif 000006
【図４】
2006122321.tif 000007
【図５】
2006122321.tif 000008